(57)【要約】【課題】  伝送データパケットに関与するクロック信号の状態に係わらず、端末間におけるデータ伝送を維持するデータ伝送端末装置、及びデータ伝送方法等を提供する。【解決手段】  画像データ信号と他のデータ信号とを多重して画像データ信号に含まれる基準クロック信号に同期したデータパケットを生成して、該生成されたデータパケットを伝送路に中継するデータ伝送端末装置において、画像データ信号と他のデータ信号とを多重して画像データパケットを生成する第１のパケット生成手段と、他のデータ信号とダミーデータとを多重してダミーデータパケットを生成する第２のパケット生成手段と、基準クロック信号を監視して該信号の状態を示す状態表示信号を生成するクロック監視手段と、該状態表示信号に応じて画像データパケットとダミーデータパケットとを切り換えて伝送路に中継する出力中継手段とを設ける。【選択図】  図２
2006148214.tif 000002
【特許請求の範囲】
【請求項１】
画像データ信号と他のデータ信号とを多重して前記画像データ信号に含まれる基準クロック信号に同期したデータパケットを生成して、該生成されたデータパケットを伝送路に中継するデータ伝送端末装置であって、
前記画像データ信号と前記他のデータ信号とを多重して画像データパケットを生成する第１のパケット生成手段と、
前記他のデータ信号とダミーデータとを多重してダミーデータパケットを生成する第２のパケット生成手段と、
前記基準クロック信号を監視して前記基準クロック信号の状態を示す状態表示信号を生成するクロック監視手段と、
前記状態表示信号に応じて前記画像データパケットと前記ダミーデータパケットとを切り換えて前記伝送路に中継する出力中継手段と、を含むことを特徴とするデータ伝送端末装置。
【請求項２】
前記画像データパケットは、そのパケット長が前記基準クロック信号の周波数に応じて調整自在であり、前記ダミーデータパケットのパケット長が所定値であることを特徴とする請求項１に記載のデータ伝送端末装置。
【請求項３】
前記他のデータ信号は、装置内部の動作状態を示す監視制御信号であることを特徴とする請求項１または２に記載のデータ伝送端末装置。
【請求項４】
前記基準クロック信号は、前記画像データ信号に含まれる送信ピクセルクロックであることを特徴とする請求項１ないし３の何れか１項に記載のデータ伝送端末装置。
【請求項５】
画像データ信号と他のデータ信号とを多重して前記画像データ信号に含まれる基準クロック信号に同期したデータパケットを生成して、該生成されたデータパケットを伝送路に中継するデータ伝送方法であって、
前記画像データ信号と前記他のデータ信号とを多重して画像データパケットを生成するステップと、
前記他のデータ信号とダミーデータとを多重してダミーデータパケットを生成するステップと、
前記基準クロック信号を監視して前記基準クロック信号の状態を示す状態表示信号を生成するステップと、
前記状態表示信号に応じて前記画像データパケットと前記ダミーデータパケットとを切り換えて前記伝送路に中継するステップと、を含むことを特徴とするデータ伝送方法。
【発明の詳細な説明】
【技術分野】
【０００１】
本発明は、データ伝送端末装置及びデータ伝送方法等に関する。
【背景技術】
【０００２】
光ファイバーや同軸ケーブル、或いは無線媒体等の伝送路を介して画像データ信号の送受信を担うＤＶＩやＨＤＭＩなどの伝送端末装置では、例えば、送信ピクセルクロック(Tx Pixel Clock)等の画像データに関連するクロック信号に同期したパケットによってデータの伝送を行っている。また、上記の端末装置間において伝送されるデータは、画像データ信号のみならず、当該装置内における各種の監視制御データもいわゆるユーザーデータとして画像データ信号に多重されて伝送される構成となっている。
【０００３】
従来の端末装置においては、例えば特許文献１に示される如く、かかるクロック信号が安定して供給される場合にのみ、端末間におけるデータ伝送が行われる構成となっていた。即ち、画像データ信号が重畳された画像データパケットのパケット長は、図１のタイムチャートの送信信号フォーマットに示される如く、供給されるクロック信号の周波数に応じて調整される可変長となっている。同パケットには、当該パケットの属性を示すヘッダー、ＲＧＢ等の画素信号を含む画像データ信号、及び上記のユーザーデータが重畳され、さらに、そのパケット長を調整すべく、例えば“０”やその他の所定シンボルで規定されたいわゆるヌル（ＮＵＬＬ）データが付加される。一方、クロック信号が端末装置に供給されないとき、若しくはその周波数が不安定のとき、或いはその周波数が変化するときは、クロック信号と画像データとの同期維持が困難になるので、図１に示される如く、端末装置間におけるデータの伝送が中断されることになる。因みに、クロック信号の周波数の変化は、伝送される画像データ信号の画像フォーマット等が変更される際に生じるものである。
【０００４】
ところで、端末装置内の制御監視情報であるユーザーデータは、装置内における異常警報や装置の動作状態を示すものであって画像データ信号とは非同期に発生するものである。それ故、画像データ信号に付随するクロック信号の状態が不安定で画像データ信号を送信できない場合でも、かかるユーザーデータは端末装置間において定常的に伝送されることが望ましい。
【０００５】
また、従来の端末装置においては、クロック信号の状態不安定時に端末装置間のデータ伝送が途絶されてしまうので、クロック信号安定後のデータ伝送再開時に、両端末の信号送受信回路の初期化トレーニング処理等を再度必要とする場合もありデータ伝送効率の低下を招く恐れもある。
【特許文献１】特開平８−２５１２５６号公報
【発明の開示】
【発明が解決しようとする課題】
【０００６】
本発明が解決しようとする課題には、クロック信号の状態に係わらず端末間におけるデータ伝送を維持し得るデータ伝送端末装置、及びデータ伝送方法等を提供することが一例として挙げられる。
【課題を解決するための手段】
【０００７】
請求項１に記載の発明は、画像データ信号と他のデータ信号とを多重して前記画像データ信号に含まれる基準クロック信号に同期したデータパケットを生成して、該生成されたデータパケットを伝送路に中継するデータ伝送端末装置であって、前記画像データ信号と前記他のデータ信号とを多重して画像データパケットを生成する第１のパケット生成手段と、前記他のデータ信号とダミーデータとを多重してダミーデータパケットを生成する第２のパケット生成手段と、前記基準クロック信号を監視して前記基準クロック信号の状態を示す状態表示信号を生成するクロック監視手段と、前記状態表示信号に応じて前記画像データパケットと前記ダミーデータパケットとを切り換えて前記伝送路に中継する出力中継手段とを含むことを特徴とする。
【０００８】
また、請求項５に記載の発明は、画像データ信号と他のデータ信号とを多重して前記画像データ信号に含まれる基準クロック信号に同期したデータパケットを生成して、該生成されたデータパケットを伝送路に中継するデータ伝送方法であって、前記画像データ信号と前記他のデータ信号とを多重して画像データパケットを生成するステップと、前記他のデータ信号とダミーデータとを多重してダミーデータパケットを生成するステップと、前記基準クロック信号を監視して前記基準クロック信号の状態を示す状態表示信号を生成するステップと、前記状態表示信号に応じて前記画像データパケットと前記ダミーデータパケットとを切り換えて前記伝送路に中継するステップとを含むことを特徴とする。
【発明を実施するための最良の形態】
【０００９】
【実施例】
【００１０】
図２に本発明の一つの実施例であるデータ伝送端末装置１０を示す。
【００１１】
同図において画像データパケット生成回路１１は、本装置の前段に設けられた画像データ生成回路、及びユーザーデータ生成回路（何れも図示せず）から供給される画像データ信号やユーザーデータ信号を基に画像データパケットを生成する回路である。クロック状態監視回路１２は、上記の画像データ信号に付随する、例えば、送信ピクセルクロック信号（以下、単に“クロック信号”と称する）の状態を監視して同クロックの状態を示すクロック状態表示信号を生成する回路である。
【００１２】
また、ダミーパケット生成回路１３は、ユーザーデータ信号と所定のダミーデータとを多重してダミーデータパケットを生成する回路である。出力中継回路１４は、クロック状態監視回路１２から供給されるクロック状態表示信号に基づいて、画像データパケット生成回路１１からの出力ａと、ダミーパケット生成回路１３からの出力ｂとを切り換えて伝送路に中継する回路である。
【００１３】
次に、データ伝送端末装置１０の動作について、図２のブロック図、並びに図３に示される動作タイムチャートに基づいて説明を行う。
【００１４】
先ず、本装置の前段に設けられた画像データ生成回路（図示せず）からは、画像データ信号が画像データパケット生成回路１１に供給される。かかる画像データ信号には、Ｒ,
Ｇ，Ｂの各画素信号や当該信号に関わる各種の同期信号が含まれている。なお、画像データ信号の内容については、かかる事例に限定されるものではなく、例えば、輝度信号等のＹ，Ｃｂ，Ｃｒ等の信号であっても良い。
【００１５】
また、画像データパケット生成回路１１には、本装置前段のユーザーデータ生成回路（図示せず）からユーザーデータ信号が供給される。ユーザーデータ信号は、例えば、伝送信号の誤り率等の画像データ伝送系統における監視情報であっても良いし、或いは電源電圧異常警報等の電源系統における監視情報であっても良い。また、装置筐体内の温度上昇や機構部品の異常を示す警報情報等であっても良い。ユーザーデータ生成回路は、これらの情報に含まれる複数の監視項目を各々の監視系統毎に並直列変換して所定のビットレートを有するユーザーデータ信号を生成してこれを基画像データパケット生成回路１１に供給するのである。
【００１６】
画像データパケット生成回路１１は、上記の画像データ生成回路から供給されるクロック信号に同期したタイムスロット毎に、画像データ信号とユーザーデータ信号とを時分割方式により多重して画像データパケットを生成する。なお、画像データパケットはクロック信号の周波数に依存した可変長パケットであるので、そのパケット長を調整すべく、画像データ信号とユーザーデータ信号を充当した残余のタイムスロットには、例えば“０”やその他の所定シンボルで規定されたいわゆるヌル（ＮＵＬＬ）データが付加される。
【００１７】
また、ユーザーデータ信号はダミーパケット生成回路１３にも供給され、同回路においてダミーパケットが生成される。ダミーパケットはクロック信号の周波数に依存しない固定長のデータパケットであり、ユーザーデータ信号と所定のダミーデータから成るデータパケットである。因みに、ダミーデータのデータパターンは、データ伝送を行う両端末間で予め定めたものであれば良いが、例えば、送信信号に含まれる直流成分を抑制すべく、“０１０１０…”或いは“１０１０１…”などのビット変化点の多いデータパターンを用いるようにしても良い。
【００１８】
なお、上述した画像データパケット並びにダミーパケットは、その先頭部に当該パケットの属性を表すヘッダー部が付されていることは言うまでもない。
【００１９】
一方、クロック信号は、クロック状態監視回路１２にも供給されて、同回路においてクロック信号の状態が監視される。同回路は、クロック信号が継続的に本装置に入力されているか否かを監視するのはもちろんのこと、例えば、クロックパルスの繰り返し周期や、そのデューティー比等の条件が定常的に安定しているか否かについても監視を行う。同回路におけるクロック信号の監視結果は、クロック状態表示信号として出力中継回路１４に伝達される。
【００２０】
出力中継回路１４は、クロック状態監視回路１２から供給されるクロック状態表示信号に基づいて、画像データパケット生成回路１１と、ダミーパケット生成回路１３の出力とを切り換えて伝送路に中継する。この様子を図３の動作タイムチャートに示す。
【００２１】
すなわち、本装置の電源投入時や動作リセット時などにおいてクロック信号が本装置に供給されないとき、或いはクロック信号の周波数が不安定なときは、クロック状態監視回路１２からクロック信号が不安定であることを示すクロック状態表示信号が出力中継回路１４に伝達される。出力中継回路１４は、これに応じて同回路の中継接点を（ｂ）側に切り換えてダミーパケット生成回路１３からの出力であるダミーパケットを伝送路に中継出力する。そして、装置動作が安定してクロック信号が正常になると、クロック状態監視回路１２からクロック信号が安定状態にあることを示すクロック状態表示信号が出力中継回路１４に伝達される。出力中継回路１４は、これに応じてその中継接点を（ａ）側に切り換えて画像データパケット生成回路１１からの出力である画像データパケットを伝送路に中継出力する。
【００２２】
その後、例えば、画像データ生成回路から供給される画像データ信号の画像フォーマットが変更されてクロック信号の周波数が変化すると、クロック状態監視回路１２からクロック信号が不安定であることを示すクロック状態表示信号が出力中継回路１４に伝達される。出力中継回路１４は、これに応じて中継接点を一旦（ｂ）側に切り換えてダミーパケット生成回路１３からの出力であるダミーパケットを伝送路に中継出力する。そして、クロック信号の周波数が安定すると、再び、クロック状態監視回路１２からクロック信号が安定状態にあることを示すクロック状態表示信号が出力中継回路１４に伝達され、同回路は、これに応じてその中継接点を（ａ）側に切り換えて、画像データパケット生成回路１１からの出力である画像データパケットが伝送路に出力される。
【００２３】
以上に説明したように、本実施例は、画像データ信号と他のデータ信号とを多重して前記画像データ信号に含まれる基準クロック信号に同期したデータパケットを生成して、該生成されたデータパケットを伝送路に中継するデータ伝送端末装置であって、前記画像データ信号と前記他のデータ信号とを多重して画像データパケットを生成する第１のパケット生成手段に相当する画像データパケット生成回路１１と、前記他のデータ信号とダミーデータとを多重してダミーデータパケットを生成する第２のパケット生成手段に相当するダミーパケット生成回路１３と、前記基準クロック信号を監視して前記基準クロック信号の状態を示す状態表示信号を生成するクロック監視手段に相当するクロック状態監視回路１２と、前記状態表示信号に応じて前記画像データパケットと前記ダミーデータパケットとを切り換えて前記伝送路に中継する出力中継手段に相当する出力中継回路１４とを含んでいる。
【００２４】
そして、本実施例に基づくデータ伝送端末装置は、以上の構成を採ることによって、入力画像データに付随するクロック信号の状態が不安定な場合でも、端末間における信号の送受信を途絶させることがなく、ユーザーデータの伝送を継続して行うことができる。
【００２５】
なお、以上に説明した実施例では、クロック信号として送信ピクセルクロック(Tx Pixel Clock)を例にとって説明を行ったが本発明の実施はかかる事例に限定されるものではなく、画像データ信号に付随する他のクロックをクロック信号として用いるようにしても良い。また、クロック信号に同期して可変長パケットにおいて伝送されるデータについても、画像データ信号に限定されるものではなく、例えば、音声信号や所定の暗号化の施されたデータ時系列の信号を用いる用にしても良い。さらに、これらのデータを組み合わせた信号を用いるようにしても良い。
【図面の簡単な説明】
【００２６】
【図１】図１は、従来のデータ伝送端末装置におけるパケット信号の伝送の様子を示すタイムチャートである。
【図２】図２は、本発明の実施によるデータ伝送端末装置の構成を示すブロック図である。
【図３】図３は、図２のデータ伝送端末装置におけるパケット信号の伝送の様子を示す動作タイムチャートである。
【符号の説明】
【００２７】
１０    データ伝送端末装置
１１    画像データパケット生成回路
１２    クロック状態監視回路
１３    ダミーパケット生成回路
１４    出力中継回路
【図１】
2006148214.tif 000003
【図２】
2006148214.tif 000004
【図３】
2006148214.tif 000005